(57)【要約】【課題】扉等の進入口手段から進入してから解錠するまでの時間を極力短縮できるようにする。【解決手段】オーバードアは、横長の短冊状の開閉体構成部材が蝶番を介して所要枚数だけ、屈曲自在となるように連結され、開口部を開閉するようにガイドレールに沿って移動する。ガイドレールは、このオーバードアをスライド移動させ、開口部の両側柱及び天井面に沿って設けられている。オーバードアの下側のパネルの一枚に施錠手段が設けられている。施錠手段は、オーバードアが開口部を閉鎖した状態で開動作しないように施錠するものである。進入口扉は、開口部に隣接して設けられた進入用の扉である。この進入口扉は、通常、開口部の右側又は左側のいずれか一方に設けられている。施錠手段は、この進入口扉に近い方の開閉体構成部材に設けられている。【選択図】図２
2006037488.tif 000002
【特許請求の範囲】
【請求項１】
開口部を開閉するように上下方向に動作する複数の開閉体構成部材からなる開閉体手段と、
前記開閉体手段の左右両側に設けられて前記開閉体手段をスライド案内するガイドレール手段と、
前記開口部に隣接して設けられた進入口手段と、
前記開閉体構成部材の左右いずれか一方であって前記進入口手段に近い側に設けられた前記開閉体手段の開閉動作をロックする施錠手段と
を備えたことを特徴とする開閉装置の施錠装置。
【請求項２】
請求項１に記載の開閉装置の施錠装置において、前記施錠手段は、
回転駆動されるハンドル手段と、
前記ハンドル手段の回転に連動して横方向にスライド移動するスライドバー手段と、
前記スライドバー手段のスライド移動に応じて前記ガイドレール手段にロックされるロック手段と
から構成されることを特徴とする開閉装置の施錠装置。
【発明の詳細な説明】
【技術分野】
【０００１】
本発明は、ビル、工場などの構築・構造物の出入口などの開口部をシート状、スラット状又はパネル状のカーテンなどの開閉体手段を用いて仕切る開閉装置の施錠装置に係り、特に開口部に隣接して設けられた進入口となる扉等を有する開閉装置の施錠装置に関する。
【背景技術】
【０００２】
従来、この種の開閉装置としてオーバードアがあり、たとえば、垂直レール部及び上部水平レール部を有してなる左右のガイドレール間に開閉体手段であるオーバードアカーテンを昇降開閉自在に配設し、左右のガイドレールの上方部間にワイヤーを巻回及び巻戻す巻胴を回転自在に設け、この巻胴に巻戻端部が固着された左右のワイヤーの下端部をオーバードアカーテンの下端部の左右方向の両端部に固着する構造のものが知られている。このような開閉装置の施錠装置に関するものとしては、例えば、特許文献１に記載されたものがある。
【０００３】
図１は、従来の開閉装置の施錠装置の概略構成を示す図であり、施錠装置の設けられたオーバードアカーテンの下部付近のカーテン本体のカーテン構成部材一枚分を示す図である。図から明かなように、従来の開閉装置の施錠装置は、カーテン本体１０の中央付近に設けられたハンドル１１と、カーテン本体１０の両端部に設けられたロック部１２，１３を備えた構成となっている。ハンドル１１とロック部１２，１３との間は、ワイヤー１４，１５を介して連結結合されている。従って、ハンドル１１が時計方向に回転することによって、ロック部１２，１３がワイヤー１４，１５の引っ張り力に応じて回転移動し、左右のガイドレールに設けられたロック金具受け（図示せず）との間の係合が解除され、それによって解錠されるようになっている。
【特許文献１】特開平１１−１１７６４７号公報
【発明の開示】
【発明が解決しようとする課題】
【０００４】
このようなオーバードアの設置される開口部には、隣接して進入口手段となる扉が設けられている場合がある。従って、オーバードアを操作する場合は、操作者は、開口部に隣接した扉から進入し、図１に示すようにカーテン本体の中央付近に設けられたハンドル１１を操作してオーバードアの施錠を解錠するという操作を行わなければならない。このように解錠手段がカーテン本体の中央付近に位置することから、その歩行距離が、最低でも開口部の横方向長さの約２分の１は必要となり、開口部が大きい場合にはその歩行距離も大きくなり、それによって操作者が進入してから解錠までに相当の時間を要していた。
【０００５】
本発明は、上述の点に鑑みなされたものであり、扉等の進入口手段から進入してから解錠するまでの時間を極力短縮することのできる開閉装置の施錠装置を提供することを目的とする。
【課題を解決するための手段】
【０００６】
本発明の開閉装置の施錠装置の第１の特徴は、開口部を開閉するように上下方向に動作する複数の開閉体構成部材からなる開閉体手段と、前記開閉体手段の左右両側に設けられて前記開閉体手段をスライド案内するガイドレール手段と、前記開口部に隣接して設けられた進入口手段と、前記開閉体構成部材の左右いずれか一方であって前記進入口手段に近い側に設けられた前記開閉体手段の開閉動作をロックする施錠手段とを備えたものである。
開閉体手段は、例えば、開閉体構成部材である横長の短冊状のパネル部材やスラット状部材が蝶番などの連結部材を介して間接的に又は直接的に所要枚数だけ、屈曲自在となるように連結されたものからなり、開口部を開閉するようにガイドレール手段に沿って上下方向に移動するものである。ガイドレール手段は、この開閉体手段をスライド移動させるものであり、開口部の左右両側や天井面に沿って設けられている。開閉体手段の下方側の開閉体構成部材の一枚に施錠手段が設けられている。施錠手段は、開閉体手段が開口部を閉鎖した状態で開動作しないように施錠するものである。進入口手段は、開口部に隣接して設けられた進入用の扉などであり、開閉体手段とは基本的な構成（構造）が異なり、開閉する動作の方向もそれぞれ異なる。また、開閉体手段によって開閉される開口部の大きさ（特に巾方向の寸法）は、隣接した進入口手段の開口部のものよりも十分に大きいものである。このような進入口手段は、通常、開口部の右側又は左側のいずれか一方に設けられている。そこで、この発明では、施錠手段を進入口手段に近い側の開閉体構成部材に設け、進入口手段から進入してから解錠するまでの時間を極力短縮することができるようにした。
【０００７】
本発明の開閉装置の施錠装置の第２の特徴は、前記第１の特徴に記載の開閉装置の施錠装置において、前記施錠手段が、回転駆動されるハンドル手段と、前記ハンドル手段の回転に連動して横方向にスライド移動するスライドバー手段と、前記スライドバー手段のスライド移動に応じて前記ガイドレール手段にロックされるロック手段とから構成されるものである。
これは、ハンドル手段のスライド移動をロック手段に伝達するようにしているので、従来のようにワイヤーを用いたものに比べて、ハンドル手段などを開閉体構成部材に設置する場合の自由度が高い。従って、施錠手段を進入口手段に最も近い開閉体構成部材に設けることができる。
【発明の効果】
【０００８】
本発明の開閉装置の施錠装置によれば、扉等の進入口手段から進入してから解錠するまでの時間を極力短縮することができるという効果がある。
【発明を実施するための最良の形態】
【０００９】
以下、添付図面に従って本発明に係る開閉装置としてのオーバードアの施錠装置の一実施の形態について説明する。図２は、本発明に係るオーバードアの施錠装置の全体構成の概略を示す図である。なお、図２は、オーバードアの設置された躯体内部から見た図であり、開口部の開閉用のオーバードア２の左側に進入用袖扉２５が設けられている。
【００１０】
オーバードア２は、ガイドレール２１，２２と、これをスライド移動するカーテン本体パネル２０とか構成される。ガイドレール２１，２２は、開口部の両側柱及び天井面に沿って設けられている。このガイドレール２１，２２にカーテン本体パネル２０がスライド自在となるように設けられている。カーテン本体パネル２０は、図２において、横長の短冊状のパネルが蝶番（図示せず）を介して所要枚数だけ、屈曲自在となるように連結されたものである。カーテン本体パネル２０の下側のパネルの一枚に施錠装置３が設けられている。このカーテン本体パネル２０は、開口部を閉鎖した状態でガイドレール２１，２２に施錠されるようになっている。なお、図示していないが、オーバードア２の上部にはバランススプリングが設けられており、このバランススプリングがワイヤーを介してカーテン本体パネル２０を上方へ付勢するようになっている。
【００１１】
施錠装置３は、カーテン本体パネル２０のパネル２０１の左側に設けられている。施錠装置３は、操作部となる本締錠３０、ハンドル３１、スライドバー３２、ラッチバー３３及びロック部４から構成される。図３は、施錠装置３の本締錠３０、ハンドル３１、スライドバー３２及びラッチバー３３の詳細構成を示す図である。
【００１２】
本締錠３０は、カーテン本体パネル２０のパネル２０１に直接設けられる。スライドバー３２は、ハンドル３１の回転に連動して横方向にスライド移動するようになっている。ラッチバー３３は、スライドバー３２に連結されており、スライドバー３２のスライド移動に連動するようになっている。ラッチバー３３の先端部はロック部４に連結されており、ラッチバー３３のスライド移動に応じてロック部４を解錠するようになっている。なお、スライドバー３２とラッチバー３３が一体となっているものでもよいため、ラッチバー３３は必ずしも必要ではない。ただし、ハンドル３１とロック部４との間隔（距離）が長い場合は、継手や現場施工時での間隔調整等の役割としてラッチバー３３を設けても良い。
【００１３】
図４〜図６は、施錠装置３のロック部４の詳細構成を示す図であり、図４は正面図を、図５は図４の平面図を、図６は図４の動作説明図である。ロック部４は、パネル２０１の幅端部に固着されたブラケット４１と、このブラケット４１に形成された垂直軸４２と、この垂直軸４２に回転自在に設けられたロック金具４３と、ロック金具４３に設けられたローラ４５とから構成される。
【００１４】
ブラケット４１は、パネル２０１の幅端部に固着されている。このブラケット４１に設けられた垂直軸４２を回転軸として回転可能にコの字状に屈曲成型されたロック金具４３が設けられている。ロック金具４３にピン４４が立設されている。ピン４４には、ピン４４を軸として回転自在の合成樹脂製のローラ４５が設けられている。垂直軸４２の周囲にはスプリング４６が設けられている。このスプリング４６はローラ４５をガイドレール２１側に押しつける付勢力を与えるものである。
【００１５】
ガイドレール２１には、ロック金具受け４７がネジ留めで固着されている。ロック金具受け４７は、カーテン本体パネル２０の閉鎖された状態でブラケット４１と対峙するようになっている。ロック金具受け４７は、図５の側面から見て、中央に凹部４７１が形成されており、この凹部４７１の両側から追う部４７１に向かう方向にテーパー状の突出部が形成されている。
【００１６】
図５に示すように、ローラ４５は、上部のローラ４５ａから徐々に下降して、ローラ４５ｂ，ローラ４５ｃ，ローラ４５ｄのようにテーパー状の突出部に沿って移動する。図５に示すような、ローラ４５の右側への移動は、ロック金具４３が垂直軸４２を中心にスプリング４６の付勢力に反する方向に回転移動することによって行なわれるものである。ローラ４５は、テーパー部を移動し終わって、ローラ４５ｄの位置に到達すると、凹部４７１にスプリング４６の付勢力によって入り込み、この時点で、ローラ４５がロック金具受け４７にロックされ、施錠された状態となる。
【００１７】
図６に示すように、ラッチバー３３の一端とロック金具４３がフック４８によって接続されているので、ハンドル３１を回転させることによってロック金具４３を垂直軸４２を回転軸として回転させ、ローラ４５を凹部４７１に対してローラ４５ｄの位置に移動させ、凹部４７１を脱出させて解錠させることができる。
【００１８】
カーテン本体パネル２０を開状態から降下させると、閉鎖状態に至る直前にローラ４５がロック金具受け４７に当接する。ローラ４５は、回転しつつロック金具受け４７に乗上げ、そのテーパ状にの突起部に沿って移動し、完全閉鎖位置でスプリング４６の付勢力により、凹部４７１に嵌合する。これによって、カーテン本体パネル２０は、ローラ４５とロック金具受け４７との係合により施錠される。
【００１９】
一方、解錠する場合には、ハンドル３１を回転させ、スライドバー３２、ラッチバー３３、フック４８を介して介してロック金具４３を回転させて、ローラ４５を凹部４７１から脱出させる。
【００２０】
施錠動作でローラ４５とロック金具受け４７とは転がり接触であるので円滑であると共に摩耗、発音も少ない。また、解錠する場合もローラ４５と凹部４７１の上端面とは転がり接触であるので、円滑に脱出し、ローラ４５と凹部４７１との接触がきつい場合でも、ハンドルに対する操作力は著しく大きくなることはない。
【００２１】
図７は、本発明に係るオーバードアの施錠装置の別の実施の形態を示す図である。図７は、オーバードアの設置された躯体内部から見た図であり、開口部の開閉用のオーバードア２とその右側には進入用袖扉７５が設けられている。図７において、図２と同じ構成のものには同一の符号が付してあるので、その説明は省略する。図７のオーバードアの施錠装置が図２のものと異なる点は、施錠装置３がカーテン本体パネル２０のパネル２０１の右側に設けられている点である。
【００２２】
以上のように、図２に示すように内側から見て進入用袖扉２５がオーバードア２の左側に位置する場合には、施錠装置３をカーテン本体パネル２０のパネル２０１の左側に設け、逆に、図７に示すように内側から見て進入用袖扉７５がオーバードア２の右側に位置する場合には、施錠装置３をカーテン本体パネル２０のパネル２０１の右側に設けることによって、進入用袖扉２５，７５から進入してから施錠装置３を解錠するまでの時間を極力短縮することができる。
【００２３】
図８は、オーバードアの解錠レバーと連動するフックの連結に使用されるワイヤーを保護部材で覆い、防犯性能を高めたものである。すなわち、図１に示すように、従来のオーバードアは、カーテン本体１０の中央付近に設けられたハンドル１１と、カーテン本体１０の両端部に設けられたロック部１２，１３とを、ワイヤー１４，１５で連結結合している。このワイヤー１４，１５は、通常むき出しの状態で使用されているため、第三者が悪意により、パネルに小さな穴を空け、ワイヤー１４，１５を引っ張ることで、ハンドル１１を操作したのと同様に、ロック金具受けの係合を解除し、解錠される可能性があり、防犯性の点で若干劣っていた。
【００２４】
そこで、図８に示すように、ワイヤー１４，１５を、樹脂製や金属製のワイヤーチューブなどの保護部材８１，８２で覆うようにして、外部から穴を空けても直接ワイヤー１４，１５を引っ張ることができないように構成する。これによって、防犯性が向上する。なお、ワイヤーチューブなどの保護部材８１，８２の内径は、ワイヤー１４，１５の外径よりも大きくしてあり、保護部材８１，８２内をワイヤー１４，１５が余裕を持ってスライド移動可能なように構成してあることが好ましい。
【図面の簡単な説明】
【００２５】
【図１】従来のオーバードアの施錠装置の概略構成を示す図であり、施錠装置の設けられたオーバードアカーテンの下部付近のカーテン本体の一枚分を示す図である。
【図２】本発明に係るオーバードアの施錠装置の全体構成の概略を示す図である。
【図３】図２の施錠装置の本締錠、ハンドル、スライドバー及びラッチバーの詳細構成を示す図である。
【図４】図２の施錠装置のロック部の詳細構成を示す正面図である。
【図５】図２の施錠装置のロック部の詳細構成を示す平面図である。
【図６】図２の施錠装置のロック部の動作説明図である。
【図７】本発明に係るオーバードアの施錠装置の別の実施の形態を示す図である。
【図８】オーバードアの解錠レバーと連動するフックの連結に使用されるワイヤーを保護部材で覆い、防犯性能を高めた変形例を示す図である。
【符号の説明】
【００２６】
１０…カーテン本体
１１…ハンドル
１２，１３…ロック部
１４，１５…ワイヤー
２…オーバードア
２０…カーテン本体パネル
２０１…パネル
２１，２２…ガイドレール
２５…進入用袖扉
３…施錠装置
３０…本締錠
３１…ハンドル
３２…スライドバー
３３…ラッチバー
４…ロック部
４１…ブラケット
４２…垂直軸
４３…ロック金具
４４…ピン
４５…ローラ
４６…スプリング
４７…ロック金具受け
４７１…凹部
４８…フック
【図１】
2006037488.tif 000003
【図２】
2006037488.tif 000004
【図３】
2006037488.tif 000005
【図４】
2006037488.tif 000006
【図５】
2006037488.tif 000007
【図６】
2006037488.tif 000008
【図７】
2006037488.tif 000009
【図８】
2006037488.tif 000010